(57)【要約】  【課題】整地機械に測定器を簡単に装着して、運転者が水平度や傾斜度を常に目視確認しながら、整地機械を操作して整地作業を進めることができ、能率良く短期間に整地可能とする。  【解決手段】整地機械の運転席近くに、少なくともＸ−Ｙ２方向用の水平度測定手段を取付けて、水平度測定手段を目視しながら、常時水平を指すように運転する水平整地方法と整地機械の運転席近くに、少なくとも鉛直方向を基準にした回転指針で勾配を表示する勾配表示手段を取付けて、前記勾配表示手段の指針を目視しながら、角度指針が常時設定角度を指すように運転する勾配整地方法である。【選択図】          図１
2005283464.tif 000002
【特許請求の範囲】
【請求項１】
Ｘ方向の気泡管とＹ方向の気泡管を有するＸ−Ｙ２方向用の水平度測定手段と鉛直方向を基準にした回転指針で勾配を表示する勾配表示手段とを有する測定器であって、整地機械への取付け手段を有していることを特徴とする整地機械用の測定器。
【請求項２】
前記の測定器が、整地機械の運転席近くの鉛直面への取付け手段を有しており、この取付け手段と前記測定器との間に、水平面内における回転機構が介在していることを特徴とする請求項１に記載の整地機械用の測定器。
【請求項３】
前記の測定器に、整地機械に装備されている水平パイプへの取付け手段を有していることを特徴とする請求項１に記載の整地機械用の測定器。
【請求項４】
整地機械の運転席近くに、少なくともＸ−Ｙ２方向用の水平度測定手段を取付けて、水平度測定手段を目視しながら、常時水平を示すように運転することを特徴とする水平整地方法。
【請求項５】
整地機械の運転席近くに、少なくとも鉛直方向を基準にした回転指針で勾配を表示する勾配表示手段を取付けて、前記勾配表示手段の指針を目視しながら、角度指針が常時設定角度を指すように運転することを特徴とする勾配整地方法。
【発明の詳細な説明】
【技術分野】
【０００１】
本発明は、水平に整地したり所定の勾配状態に整地する整地方法とこの整地方法に用いる水平勾配兼用の測定器に関する。
【背景技術】
【０００２】
ブルドーザーやパワーショベル、ショベルカー、トラクターなどの建設機械を整地機械として用いて、建設地や宅地、床掘り、各種機械の足元の敷き均しなどのために水平に整地したり、所定の角度に勾配のついた道路その他のスロープや各種溝などを施工する作業が多い。このような整地作業や溝掘り作業は、整地機械で所定の角度に整地しては水平度や勾配を測定する、という作業を交互に繰り返すことによって、目的とする角度となるように整地したり溝掘りするのが一般的である。
【０００３】
そのため、作業が煩雑となり、整地面が目的の角度に整地されるまでの施工期間が長くなり、しかもコスト高となるという問題が避けられない。勾配測定用の水準器としては、例えば特開平９−145365号公報で開示されているような技術が提案されているが、前記のような整地機械と併用することは示されていない。また、特開平10−2736号公報には、勾配測定器を複数用いて各方向の水平度を同時に測定できる器具が開示されている。
【特許文献１】特開平９−145365
【特許文献２】特開平10−2736
【発明の開示】
【発明が解決しようとする課題】
【０００４】
ところが、特許文献１のような水準器で勾配測定するのは面倒であり、特に本発明のように、整地機械で整地作業しながら勾配測定するのには不向きである。また、特許文献２のように勾配測定器を複数用いて各方向の水平度を同時に測定できる器具も、本発明のように、整地機械で整地作業しながら整地面の水平度を測定して水平に整地するのには適しない。本発明の技術的課題は、このような問題に着目し、ブルドーザーやショベルカー、トラクターなどの整地機械に測定器を簡単に装着して、運転者が水平度や傾斜度を常に目視確認しながら、整地機械を操作して整地作業を進めることができ、能率良く短期間に整地可能とすることにある。
【課題を解決するための手段】
【０００５】
本発明の技術的課題は次のような手段によって解決される。請求項１は、Ｘ方向の気泡管とＹ方向の気泡管を有するＸ−Ｙ２方向用の水平度測定手段と鉛直方向を基準にした回転指針で勾配を表示する勾配表示手段とを有する測定器であって、ブルドーザーやショベルカー、トラクターなどの整地機械への取付け手段を有していることを特徴とする整地用の測定器である。このように、Ｘ方向の気泡管とＹ方向の気泡管を有するＸ−Ｙ２方向用の水平度測定手段と鉛直方向を基準にした回転指針で勾配を表示する勾配表示手段とを有する測定器において、ブルドーザーやショベルカー、トラクターなどの整地機械への取付け手段を有しているため、この測定器を整地機械に取付ければ、運転手が測定器を目視しながら、要求されている水平度や勾配に限りなく近づけることができる。
【０００６】
請求項２は、前記の測定器が、整地機械の運転席近くの鉛直面への取付け手段を有しており、この取付け手段と前記測定器との間に、測定器の水平面内における回転機構が介在していることを特徴とする請求項１に記載の測定器である。このように、前記の測定器が、整地機械の運転席近くの鉛直面への取付け手段を有しているため、運転席から測定器を目視しながら、要求されている角度に整地できる。しかも、この取付け手段と前記測定器との間に、水平面内における回転機構が介在しているので、整地作業の場合のみ、運転手が目視し易い位置まで測定器を展開させて使用し、不要の場合は、折り畳んで鉛直面に密着させておけるので、邪魔になることがない。
【０００７】
請求項３は、前記の測定器に、整地機械に装備されている水平パイプへの取付け手段を有していることを特徴とする請求項１に記載の測定器である。整地機械には、手摺りや安全用の防護などの目的から水平のパイプが予め装備されている場合が多いが、請求項３のように、前記の測定器に、このような水平パイプへの取付け手段を有しているため、この水平パイプを利用して、容易に測定器を水平に取付けることができる。
【０００８】
請求項４は、ブルドーザーやパワーショベル、ショベルカー、トラクターなどの整地機械の運転席近くに、少なくともＸ−Ｙ２方向用の水平度測定手段を取付けて、水平度測定手段を目視しながら、常時水平を指すように運転することを特徴とする水平整地方法である。このように、各種の整地機械の運転席近くに、Ｘ−Ｙ２方向用の水平度測定手段を取付けて、前記水準器の気泡を目視しながら、常時水平を指すように運転することによって、運転席に居ながら水平度を測定できることになる。しかも、水平度測定手段によって常に水平状態を監視しながら運転して整地できるので、整地作業が格段と能率良くなり、整地費用が低廉化され、施工期間が大幅に短縮される。
【０００９】
請求項５は、ブルドーザーやショベルカー、トラクターなどの整地機械の運転席近くに、少なくとも鉛直方向を基準にした回転指針で勾配を表示する勾配表示手段を取付けて、前記勾配表示手段の指針を目視しながら、角度指針が常時設定角度を指すように運転することを特徴とする勾配整地方法である。このように、各種の整地機械の運転席近くに、少なくとも鉛直方向を基準にした回転指針で勾配を表示する勾配表示手段を取付けて、前記勾配表示手段の指針を目視しながら、角度指針が常時設定角度を指すように運転し整地するため、運転席に居ながら勾配度を測定できることになる。しかも、勾配測定手段によって常に勾配状態を監視しながら運転して勾配整地できるので、整地作業が格段と能率良くなり、整地費用の低廉化と施工期間の大幅短縮が実現される。
【発明の効果】
【００１０】
請求項１のように、Ｘ方向の気泡管とＹ方向の気泡管を有するＸ−Ｙ２方向用の水平度測定手段と鉛直方向を基準にした回転指針で勾配を表示する勾配表示手段とを有する測定器において、ブルドーザーやショベルカー、トラクターなどの整地機械への取付け手段を有しているため、この測定器を整地機械に取付ければ、運転手が測定器を目視しながら、要求されている水平度や勾配に限りなく近づけることができる。
【００１１】
請求項２のように、前記の測定器が、整地機械の運転席近くの鉛直面への取付け手段を有しているため、運転席から測定器を目視しながら、要求されている角度に整地できる。しかも、この取付け手段と前記測定器との間に、水平面内における回転機構が介在しているので、整地作業の場合のみ、運転手が目視し易い位置まで測定器を展開させて使用し、不要の場合は、折り畳んで鉛直面に密着させて、退避できるので、邪魔になることがない。
【００１２】
整地機械には、手摺りや安全用の防護などの目的から水平のパイプが予め装備されている場合が多いが、請求項３のように、前記の測定器に、このような水平パイプへの取付け手段を有しているため、この水平パイプを利用して、容易に測定器を水平に取付けることができる。
【００１３】
請求項４のように、各種の整地機械の運転席近くに、Ｘ−Ｙ２方向用の水平度測定手段を取付けて、水平度測定手段を目視しながら、常時水平を指すように運転することによって、運転席に居ながら水平度を測定できることになる。しかも、水平度測定手段によって常に水平状態を監視しながら運転して整地できるので、整地作業が格段と容易になり、能率化される。
【００１４】
請求項５のように、各種の整地機械の運転席近くに、少なくとも鉛直方向を基準にした回転指針で勾配を表示する勾配表示手段を取付けて、前記勾配表示手段の指針を目視しながら、角度指針が常時設定角度を指すように運転するため、運転席に居ながら勾配度を測定できることになる。しかも、勾配測定手段によって常に勾配状態を監視しながら運転して勾配整地できるので、整地作業が格段と能率良くなり、整地費用と施工期間が大幅に短縮される。
【発明を実施するための最良の形態】
【００１５】
次に本発明による水平・勾配測定器ならびに該測定器を用いた整地方法が実際上どのように具体化されるか実施形態を説明する。図１は鉛直面に取付けるアームタイプの測定器であり、細長いアーム体１の先端にＸ方向の気泡管２が取付けてあり、さらにその先に、Ｙ方向の気泡管３と、鉛直軸４を中心にして回動して開閉する反射鏡Ｍを取付けてある。前記アーム体１の正面には、勾配測定器５が取付けてあり、その回転指針６の指す目盛数値によって、勾配の角度が表示される。
【００１６】
アーム体１の基端は、鉛直軸７を介して、鉛直取付け板８と連結されている。すなわち、鉛直取付け板８の正面に、２枚の水平板９、１０が間隔をおいて上下に溶接固定してあり、上側の水平板９と下側の水平板１０との間にアーム体１の基端を挿入した状態で、上下水平板９、１０とアーム体基端にあけてある鉛直孔に鉛直軸７を挿入することによって、アーム体１が鉛直軸７を中心にして水平方向に回転できる。水平板９または１０には、鉛直軸７を中心とした円弧上に一定間隔をおいてボール孔１１を設けてあり、アーム体１の基端中に圧縮スプリングの上に配置してあるボールが前記のボール孔１１中に弾圧嵌入している。したがって、アーム体１を鉛直軸７を中心にして回転させた際に、ボール体がボール孔に嵌入した位置において、安定し固定されることになる。
【００１７】
このボールの弾圧嵌入機構に代えて、ボール孔１１からアーム体基端にあけてある鉛直孔にピンやボルトを挿入して、回転不能にロックすることもできる。なお、鉛直取付け板８に開けてある４箇所の孔１２は、整地機械の運転席近くの鉛直面に取付ける取付け孔である。
【００１８】
図２は図１の測定器の正面図であり、反射鏡Ｍは閉じた状態である。図３は、図１、図２のアーム体１を背部から見た斜視図であり、反射鏡Ｍを開いた状態である。また、図１のアーム体１は鉛直取付け板８に対し平行に折り畳んだ状態であるのに対し、図２、図３のアーム体１は、鉛直取付け板８に対し垂直に開いた状態である。また、図１では鉛直取付け板８に上下２枚の水平板９、１０が直結されているのに対し、図２、図３では、４本の圧縮スプリングＳを介在させた状態で、２枚の鉛直取付け板８・１３に締めつけボルト１４を挿通してある。この場合は、外側の鉛直取付け板１３を取付け孔１５を利用して整地機械の鉛直面に取付ける。
【００１９】
整地作業に際しては、まず水平勾配測定器の水平度を調整する。いま、整地機械が水平面上に載っているとすると、アーム体１を開いて、Ｘ方向の気泡管２とＹ方向の気泡管３とが共に水平状態を示すように調整する必要がある。その場合、前記の各調節ボルト１４のナットＮ…を独立に締めつけたり緩めたりすることによって、まずＸ方向の水平度を調整できる。次いで、Ｙ方向気泡管３の取付け板を緩めて、水平に合わせる。なお、Ｙ方向気泡管３の取付け板２０は、アーム体１の先端に対し、Ｙ方向に多少回転できるように、取付けネジ２１の挿入孔を大きめにしてある。
【００２０】
そして、Ｘ−Ｙ両方向が水平を示した場合に、勾配測定器５の回転指針６は丁度鉛直となって、０度すなわち鉛直方向を指し、勾配がついてなく、水平であることを示す。こうして、水平度調整が済んだら、Ｘ−Ｙ気泡管を目視しながら操作して整地する。すなわち、Ｘ方向の気泡管２とＹ方向の気泡管３が共に常時水平位置を示すように運転し整地すると、水平度の測定と整地運転を同時に行なえるので、整地作業が能率的となり、短時間に整地できる。なお、Ｙ方向用の気泡管３は、運転者からは見づらいが、反射鏡Ｍを開いて気泡管３を反射させれば、Ｘ方向の気泡管２とは直角方向の気泡管３の気泡の状態も容易に目視できる。
【００２１】
なお、整地機械自体が載っている地面が水平かどうか不明の場合は、整地機械自体のショベルその他の高精度面に通常の水準器を当てて、その気泡位置と運転席の本発明測定器のＸ−Ｙ方向気泡管の気泡位置とが一致するように調整することによっても、運転席の水平勾配測定器の初期調整ができる。
【００２２】
次に、坂道やスロープを形成する場合は、坂道やスロープとして設計された勾配角度に合致するように整地する必要がある。このように勾配をつける場合は、勾配測定器５を使用し、回転指針６が常時指定された角度数値を指すように整地作業すると、結果的に、指定された勾配角度のついたスロープが完成することになる。また、雨降りの際の排水路形成（水切り）をする場合も、指定される勾配角度に合うように溝掘りする必要がある。このような場合も、勾配測定器５の回転指針６が指定された角度を指すように、常時勾配測定しながら水切り作業ができるので、能率的に作業できる。
【００２３】
図４は、整地機械の水平パイプに取付けるタイプの測定器の斜視図、図５は図４の測定器の正面図である。図１から図３の測定器は、水準器のアーム体１に勾配測定器５を装備した構成であるのに対し、図４、図５の測定器は、勾配測定器に水準器を装備したコンパクトタイプである。勾配測定器５を搭載している鉛直パネル１６には、勾配測定器５の下側において、Ｘ方向の気泡管２を埋め込んで、前面から見えるようになっている。その右側（左側でも可）には、Ｙ方向の気泡管３を配設してある。鉛直パネル１６には、この気泡管３を収納する凹室１７を形成してあって、使用しないときは、この凹室１７中に気泡管３を収納する。そのため、この気泡管３はヒンジ１８で鉛直パネル１６の凹室下端部に軸支されていて、使用時には図示のように、手前に倒して水平状態とし、使用しないときは、起こして凹室１７中に押し込んで収納しておく。
【００２４】
この鉛直パネル１６の上端の左右に、整地機械の水平パイプ１９に取付けるためのホルダーｈ１、ｈ２を設けてある。このホルダーｈ１、ｈ２は、水平パイプ１９を挟み着けて、ボルトナットで締めつけ固定できる構造になっている。あるいは水平パイプ１９に巻き付ける構造でもよく、水平パイプ１９に対し取付け可能であればよい。ただし、鉛直パネル１６が鉛直方向を向くように、正確に取付け可能であることを要する。その結果、水平パイプ１９を利用してこの測定器を搭載した整地機械が、水平な面上に位置している限り、Ｘ方向気泡管２の気泡もＹ方向気泡管３の気泡も水平状態を示し、勾配測定器５の指針６は、水平状態を示す０度の目盛を指示することになる。
【００２５】
したがって、この整地機械を用いて整地作業すると、運転席から運転者がこの測定器のＸ方向気泡管２の気泡やＹ方向気泡管３の気泡の位置を目視しながら、常に水平状態を示すように作業を進めることによって、迅速に整地できる。また、スロープなどのように傾斜状態に整地する場合とか、水切りなどのための溝を掘るような場合は、勾配測定器５の指針６が常に、設定された角度を指すように整地作業すると、短時間に効率よく指定された勾配のついた状態に整地できる。
【産業上の利用可能性】
【００２６】
以上のように、本発明によると、ブルドーザーやパワーショベル、ショベルカー、トラクターなどの整地機械に測定器を簡単に装着して、運転者が水平度や傾斜度を常に目視確認しながら、整地機械を操作して整地作業を進めることができる。その結果、能率良く短期間に整地可能となり、宅地や道路などの整地作業や溝掘りが能率化される。
【図面の簡単な説明】
【００２７】
【図１】本発明によるアームタイプの測定器の正面方向から見た斜視図である。
【図２】図１の測定器の正面図である。
【図３】図１、図２の測定器を背部から見た斜視図である。
【図４】整地機械の水平パイプに取付けるタイプの測定器の斜視図である。
【図５】図４の測定器の正面図である。
【符号の説明】
【００２８】
１  アーム体
２  Ｘ方向の気泡管
３  Ｙ方向の気泡管
Ｍ  反射鏡
５  勾配測定器
６  回転指針
７  鉛直軸
８・１３  鉛直取付け板
９・１０  水平板
１１  ボール孔（ピンまたはボルト挿入孔）
１２  取付け孔
１４  調整ボルト
１５  取付け孔
１６  鉛直パネル
１７  凹室
１８  ヒンジ
１９  水平パイプ
ｈ１、ｈ２  取付けホルダー
【図１】
2005283464.tif 000003
【図２】
2005283464.tif 000004
【図３】
2005283464.tif 000005
【図４】
2005283464.tif 000006
【図５】
2005283464.tif 000007